(57)【要約】【課題】リールユニット３０の筐体２０への着脱作業を容易にする。【解決手段】スロットマシンは、筐体２０と、リールユニット３０とを備える。リールユニット３０のフレーム４０の背面には係止部が、筐体２０の背面板２４には被係止部が、それぞれ設けられる。リールユニット３０の背面を背面板２４に押し当てて、リールユニット３０を下方へ移動させると、係止部が被係止部に係止されて、リールユニット３０が背面板２４に係止され、背面板２４に係止されたリールユニット３０を上方へ移動させると、係止部の被係止部への係止が解かれる。フレーム４０には、前後移動可能なロック部材１６０が取り付けられ、リールユニット３０を背面板２４に係止させた状態で、ロック部材１６０を後方へ移動させると、ロック部材１６０の後端付近が背面板２４に設けたロック穴１９０に嵌合して、リールユニット３０の上方への移動が阻止される。【選択図】  図１
2004166777.tif 000002
【特許請求の範囲】
【請求項１】
箱型の筐体と、この筐体の内部に固定されるリールユニットとを備え、
前記筐体は、前面に開口部を有するとともに、背面には背面板を備え、
前記リールユニットは、フレームと、このフレームに固定される複数の支持板と、各支持板にそれぞれ固定されるモータと、各モータの回転軸にそれぞれ固定される回転リールとを備え、
前記フレームの背面の所定位置には、リールユニットを背面板に係止させるための係止部が設けられているとともに、前記背面板の所定位置には、係止部が係止される被係止部が設けられ、
前記リールユニットの背面を筐体の内側から背面板の所定位置に押し当てた状態で、リールユニットを背面板に対して下方へ移動させると、係止部が被係止部に係止されて、リールユニットが背面板に係止されるとともに、背面板に係止されたリールユニットを背面板に対して上方へ移動させると、係止部の被係止部への係止が解かれるように形成され、
前記フレームの所定位置には、背面板に係止されたリールユニットが背面板に対して上方へ移動するのを阻止するためのロック部材が取り付けられているとともに、このロック部材は、フレームに対して前後方向に移動可能に形成され、
前記リールユニットを背面板に係止させた状態で、ロック部材をフレームに対して後方へ移動させると、ロック部材の後端付近が背面板の所定位置に設けたロック穴に嵌合して、リールユニットの上方への移動が阻止されるように形成されていることを特徴とするスロットマシン。
【請求項２】
前記リールユニットが背面板に対して前後方向に移動不能となるように、係止部が被係止部に係止されるように形成されていることを特徴とする請求項１記載のスロットマシン。
【請求項３】
前記リールユニットが背面板に対して横方向に移動不能となるように、係止部が被係止部に係止されるように形成されていることを特徴とする請求項１又は２記載のスロットマシン。
【請求項４】
前記リールユニットが背面板に対して横方向に移動不能となるように、ロック部材の後端付近がロック穴に嵌合するように形成されていることを特徴とする請求項１、２又は３記載のスロットマシン。
【請求項５】
前記ロック部材は、その後端付近をロック穴に嵌合させた状態で、その前端がフレームの前面よりも前方に位置するように形成されていることを特徴とする請求項１、２、３又は４記載のスロットマシン。
【請求項６】
前記ロック部材は、その後端付近をロック穴に嵌合させた状態で、その後端が背面板の背面よりも後方に突出しないように形成されていることを特徴とする請求項１、２、３、４又は５記載のスロットマシン。
【請求項７】
前記ロック部材は、その前端付近に、ロック部材がフレームに対して前後方向へ移動するのを規制するためのストッパーを備えるとともに、このストッパーは、ロック部材の後端付近がロック穴に嵌合した状態で、ロック部材がフレームに対して前後方向へ移動するのを規制するように形成されていることを特徴とする請求項１、２、３、４、５又は６記載のスロットマシン。
【発明の詳細な説明】
【０００１】
【発明の属する技術分野】
本発明は、スロットマシンに関し、更に詳しくは、リールユニットの筐体への着脱作業を容易にしたスロットマシンに関するものである。
【０００２】
【従来の技術】
従来から、スタートスイッチを操作すると、３個すべての回転リールの回転が開始し、ストップスイッチを操作すると、当該ストップスイッチに対応した回転リールの回転が停止し、３個すべての回転リールの回転が停止したときに、所定の図柄が有効な入賞ライン上に揃うと、入賞となり、入賞態様に応じた所定の利益が遊技者に付与されるスロットマシンが提供されている。
【０００３】
このようなスロットマシンは、前面に開口部を有する箱型の筐体を備え、また、筐体の前面には、開口部を塞ぐ前扉を備え、また、筐体の内部には、３個の回転リールを有するリールユニットを備え、また、前扉には、３個の回転リールを見るための図柄表示窓や、回転リールの回転を開始させるためのスタートスイッチや、回転リールの回転を停止させるためのストップスイッチなどを備えている。
【０００４】
そして、リールユニットの筐体への固定は、例えば、筐体の内部に棚板を設けて、この棚板の上にリールユニットを載置し、リールユニットを棚板にビス止めすることによって行われる。
なお、リールユニットの背面に係止部を設けるとともに、背面板の所定位置には被係止部を設け、係止部を被係止部に係止させた上で、リールユニットを背面板にビス止めすることもある。
【０００５】
【特許文献１】
特願２００１−３１６１６８号
【０００６】
【発明が解決しようとする課題】
しかし、リールユニットを筐体に固定するために、棚板という比較的大きな部材を用いるのは得策ではない。
また、リールユニットを棚板や背面板にビス止めすると、リールユニットの着脱作業が煩雑になってしまう。
【０００７】
また、リールユニットの外周面と筐体の内周面との間隔は比較的狭く、かつ、筐体の開口部から背面板までの距離は比較的長いため、通常の工具では、リールユニットの背面板へのビス止め作業は困難であった。
（請求項１）
そこで、請求項１記載の発明は、フレームの背面に係止部を設け、背面板の所定位置には被係止部を設け、リールユニットの背面を背面板に押し当てた状態で、リールユニットを下方へ移動させると、係止部が被係止部に係止されて、リールユニットが背面板に係止されるようにするとともに、フレームの所定位置に前後移動可能なロック部材を取り付け、リールユニットを背面板に係止させた状態で、ロック部材を後方へ移動させると、ロック部材の後端付近が背面板の所定位置に設けたロック穴に嵌合して、リールユニットの上方への移動が阻止されるようにすることにより、リールユニットの筐体への着脱作業を容易にしたスロットマシンを提供することを目的とする。
【０００８】
（請求項２）
また、請求項２記載の発明は、請求項１記載の発明の目的に加え、リールユニットが背面板に対して前後方向に移動不能となるように、係止部と被係止部とを形成することにより、モータの駆動や回転リールの回転等によるリールユニットの前後方向のガタツキが生じないようにしたスロットマシンを提供することを目的とする。
【０００９】
（請求項３）
また、請求項３記載の発明は、請求項１又は２記載の発明の目的に加え、リールユニットが背面板に対して横方向に移動不能となるように、係止部と被係止部とを形成することにより、モータの駆動や回転リールの回転等によるリールユニットの横方向のガタツキが生じないようにするとともに、回転リールを図柄表示窓に対して正しい位置に位置決めできるようにしたスロットマシンを提供することを目的とする。
【００１０】
（請求項４）
また、請求項４記載の発明は、請求項１ないし３記載の発明の目的に加え、リールユニットが背面板に対して横方向に移動不能となるように、ロック部材の後端付近とロック穴とを形成することにより、モータの駆動や回転リールの回転等によるリールユニットの横方向のガタツキが生じないようにしたスロットマシンを提供することを目的とする。
【００１１】
（請求項５）
また、請求項５記載の発明は、請求項１ないし４記載の発明の目的に加え、ロック部材の後端付近をロック穴に嵌合させた状態で、ロック部材の前端がフレームの前面よりも前方に位置するように形成することにより、ロック部材をリールユニットの手前側で操作できるようにして、リールユニットの筐体への着脱作業をより一層容易にしたスロットマシンを提供することを目的とする。
【００１２】
（請求項６）
また、請求項６記載の発明は、請求項１ないし５記載の発明の目的に加え、ロック部材の後端付近をロック穴に嵌合させた状態で、ロック部材の後端が背面板の背面よりも後方に突出しないように形成することにより、ロック部材が邪魔にならないようにするとともに、輸送中等にロック部材が後方から押されてロックが解除されリールユニットが背面板から外れてしまうことがないようにしたスロットマシンを提供することを目的とする。
【００１３】
（請求項７）
更に、請求項７記載の発明は、請求項１ないし６記載の発明の目的に加え、ロック部材の前端付近に、ロック部材の前後方向への移動を規制するためのストッパーを設けることにより、必要なとき以外には、ロック部材の後端付近がロック穴から抜けないようにして、リールユニットが筐体に確実に固定されるようにしたスロットマシンを提供することを目的とする。
【００１４】
【課題を解決するための手段】
（請求項１）
請求項１記載の発明は、スロットマシンに係るものであって、箱型の筐体（２０）と、この筐体（２０）の内部に固定されるリールユニット（３０）とを備え、前記筐体（２０）は、前面に開口部を有するとともに、背面には背面板（２４）を備え、前記リールユニット（３０）は、フレーム（４０）と、このフレーム（４０）に固定される複数の支持板と、各支持板にそれぞれ固定されるモータと、各モータの回転軸にそれぞれ固定される回転リール（５０）とを備え、前記フレーム（４０）の背面の所定位置には、リールユニット（３０）を背面板（２４）に係止させるための係止部が設けられているとともに、前記背面板（２４）の所定位置には、係止部が係止される被係止部が設けられ、前記リールユニット（３０）の背面を筐体（２０）の内側から背面板（２４）の所定位置に押し当てた状態で、リールユニット（３０）を背面板（２４）に対して下方へ移動させると、係止部が被係止部に係止されて、リールユニット（３０）が背面板（２４）に係止されるとともに、背面板（２４）に係止されたリールユニット（３０）を背面板（２４）に対して上方へ移動させると、係止部の被係止部への係止が解かれるように形成され、前記フレーム（４０）の所定位置には、背面板（２４）に係止されたリールユニット（３０）が背面板（２４）に対して上方へ移動するのを阻止するためのロック部材（１６０）が取り付けられているとともに、このロック部材（１６０）は、フレーム（４０）に対して前後方向に移動可能に形成され、前記リールユニット（３０）を背面板（２４）に係止させた状態で、ロック部材（１６０）をフレーム（４０）に対して後方へ移動させると、ロック部材（１６０）の後端付近が背面板（２４）の所定位置に設けたロック穴（１９０）に嵌合して、リールユニット（３０）の上方への移動が阻止されるように形成されていることを特徴とする。
【００１５】
ここで、「係止部」は、リールユニット（３０）を背面板（２４）に係止させるためのものであって、フレーム（４０）の背面の所定位置に設けられる。
また、「被係止部」は、係止部が係止されるものであって、背面板（２４）の所定位置に設けられる。
そして、リールユニット（３０）の背面を背面板（２４）の所定位置に押し当てた状態で、リールユニット（３０）を背面板（２４）に対して下方へ移動させると、係止部が被係止部に係止されて、リールユニット（３０）が背面板（２４）に係止されるとともに、背面板（２４）に係止されたリールユニット（３０）を背面板（２４）に対して上方へ移動させると、係止部の被係止部への係止が解かれる。
【００１６】
具体的には、例えば、フレーム（４０）の背面の四隅にそれぞれ下向きフック（１１０）を設け、これらを「係止部」とするとともに、背面板（２４）の所定位置には前記各下向きフック（１１０）がそれぞれ係止される４つの被係止穴（１４０）を設け、これらを「被係止部」とすることができる。そうすると、リールユニット（３０）の背面を背面板（２４）の所定位置に押し当てた状態で、リールユニット（３０）を背面板（２４）に対して下方へ移動させると、係止部としての各下向きフック（１１０）が被係止部としての各被係止穴（１４０）に係止されて、リールユニット（３０）が背面板（２４）に係止されるとともに、背面板（２４）に係止されたリールユニット（３０）を背面板（２４）に対して上方へ移動させると、各下向きフック（１１０）の各被係止穴（１４０）への係止が解かれて、リールユニット（３０）が背面板（２４）から外れるようにすることができる。
【００１７】
また、例えば、背面板（２４）の所定位置に４つの上向きフック（１５２）を設け、これらを「被係止部」とするとともに、フレーム（４０）の背面の四隅には前記各上向きフック（１５２）にそれぞれ係止される折り曲げ部（１２０）を設け、これらを「係止部」とすることができる。このようにしても、リールユニット（３０）の背面を背面板（２４）の所定位置に押し当てた状態で、リールユニット（３０）を背面板（２４）に対して下方へ移動させると、係止部としての各折り曲げ部（１２０）が被係止部としての各上向きフック（１５２）に係止されて、リールユニット（３０）が背面板（２４）に係止されるとともに、背面板（２４）に係止されたリールユニット（３０）を背面板（２４）に対して上方へ移動させると、各折り曲げ部（１２０）の各上向きフック（１５２）への係止が解かれて、リールユニット（３０）が背面板（２４）から外れるようにすることができる。
【００１８】
また、例えば、フレーム（４０）の背面の所定位置に、「係止部」としての下向きフック（１１０）と折り曲げ部（１２０）とを設け、背面板（２４）の所定位置には、「被係止部」としての被係止穴（１４０）と上向きフック（１５２）とを設け、リールユニット（３０）の背面を背面板（２４）の所定位置に押し当てた状態で、リールユニット（３０）を背面板（２４）に対して下方へ移動させると、下向きフック（１１０）が被係止穴（１４０）に係止されるとともに、折り曲げ部（１２０）が上向きフック（１５２）に係止されて、リールユニット（３０）が背面板（２４）に係止されるようにすることもできる。
【００１９】
また、「ロック部材（１６０）」とは、背面板（２４）に係止されたリールユニット（３０）が背面板（２４）に対して上方へ移動するのを阻止するためのものであって、フレーム（４０）の所定位置に取り付けられる。
また、このロック部材（１６０）は、例えば、フレーム（４０）の下面板（４１）に取り付けてもよく、また、フレーム（４０）の上面板（４２）に取り付けてもよく、また、フレーム（４０）の横面板（４３）に取り付けてもよい。
【００２０】
また、このロック部材（１６０）は、例えば、１個だけ設けてもよく、また、複数個設けてもよい。
また、このロック部材（１６０）は、フレーム（４０）に対して前後方向に移動可能に形成される。
また、「ロック穴（１９０）」とは、ロック部材（１６０）の後端付近を嵌合させるための穴であって、背面板（２４）の所定位置に設けられる。
【００２１】
そして、リールユニット（３０）を背面板（２４）に係止させた状態で、ロック部材（１６０）をフレーム（４０）に対して後方へ移動させると、ロック部材（１６０）の後端付近がロック穴（１９０）に嵌合して、リールユニット（３０）の上方への移動が阻止される。
そして、リールユニット（３０）の上方への移動が阻止されると、係止部の被係止部への係止が解かれないことから、リールユニット（３０）が背面板（２４）から外れないのである。
【００２２】
また、ロック部材（１６０）をフレーム（４０）に対して前方へ移動させて、ロック部材（１６０）の後端付近をロック穴（１９０）から引き抜くと、リールユニット（３０）が上方へ移動し得るようになる。
そして、リールユニット（３０）を背面板（２４）に対して上方へ移動させると、係止部の被係止部への係止が解かれて、リールユニット（３０）を背面板（２４）から取り外すことができるのである。
【００２３】
このように、本発明によれば、リールユニット（３０）の着脱作業を容易にすることができるのである。
（請求項２）
また、請求項２記載の発明は、請求項１記載のスロットマシンを限定したものであって、前記リールユニット（３０）が背面板（２４）に対して前後方向に移動不能となるように、係止部が被係止部に係止されるように形成されていることを特徴とする。
【００２４】
具体的には、例えば、フレーム（４０）の背面に「係止部」としての下向きフック（１１０）を設けるとともに、背面板（２４）の所定位置に「被係止部」としての被係止穴（１４０）を設ける場合にあっては、下向きフック（１１０）の奥行き幅と、下向きフック（１１０）が係止される部分の肉厚とをほぼ等しく形成することにより、「係止部」としての下向きフック（１１０）を「被係止部」としての被係止穴（１４０）に係止させた際に、リールユニット（３０）が背面板（２４）に対して前後方向に移動しないようにすることができる。
【００２５】
そして、本発明によれば、リールユニット（３０）を背面板（２４）に対して前後方向に移動不能とすることにより、モータの駆動や回転リール（５０）の回転等によるリールユニット３０の前後方向のガタツキを防止できるのである。
（請求項３）
また、請求項３記載の発明は、請求項１又は２記載のスロットマシンを限定したものであって、前記リールユニット（３０）が背面板（２４）に対して横方向に移動不能となるように、係止部（１００）が被係止部（１３０）に係止されるように形成されていることを特徴とする。
【００２６】
具体的には、例えば、フレーム（４０）の背面に「係止部」としての下向きフック（１１０）を設けるとともに、背面板（２４）の所定位置に「被係止部」としての被係止穴（１４０）を設ける場合にあっては、下向きフック（１１０）の横幅と、被係止穴（１４０）の横方向の内径とをほぼ等しく形成することにより、「係止部」としての下向きフック（１１０）を「被係止部」としての被係止穴（１４０）に係止させた際に、リールユニット（３０）が背面板（２４）に対して横方向に移動しないようにすることができる。
【００２７】
そして、本発明によれば、リールユニット（３０）を背面板（２４）に対して横方向に移動不能とすることにより、モータの駆動や回転リール（５０）の回転等によるリールユニット３０の横方向のガタツキを防止できるとともに、回転リール（５０）を図柄表示窓に対して正しい位置に位置決めできるのである。
（請求項４）
また、請求項４記載の発明は、請求項１ないし３記載のスロットマシンを限定したものであって、前記リールユニット（３０）が背面板（２４）に対して横方向に移動不能となるように、ロック部材（１６０）の後端付近がロック穴（１９０）に嵌合するように形成されていることを特徴とする。
【００２８】
具体的には、例えば、ロック部材（１６０）の後端付近の横幅と、ロック穴（１９０）の横方向の内径とをほぼ等しく形成したり、あるいはロック部材（１６０）の後端付近の外寸と、ロック穴（１９０）の内寸とをほぼ等しく形成することにより、ロック部材（１６０）の後端付近をロック穴（１９０）に嵌合させた際に、リールユニット（３０）が背面板（２４）に対して横方向に移動しないようにすることができる。
【００２９】
そして、本発明によれば、リールユニット（３０）を背面板（２４）に対して横方向に移動不能とすることにより、モータの駆動や回転リール（５０）の回転等によるリールユニット３０の横方向のガタツキを防止できるのである。
（請求項５）
また、請求項５記載の発明は、請求項１ないし４記載のスロットマシンを限定したものであって、前記ロック部材（１６０）は、その後端付近をロック穴（１９０）に嵌合させた状態で、その前端がフレーム（４０）の前面よりも前方に位置するように形成されていることを特徴とする。
【００３０】
本発明によれば、ロック部材（１６０）を前後方向に移動させる操作を、リールユニット（３０）の手前側で行えるので、リールユニット（３０）の筐体（２０）への着脱作業をより一層容易に行えるのである。
（請求項６）
また、請求項６記載の発明は、請求項１ないし５記載のスロットマシンを限定したものであって、前記ロック部材（１６０）は、その後端付近をロック穴（１９０）に嵌合させた状態で、その後端が背面板（２４）の背面よりも後方に突出しないように形成されていることを特徴とする。
【００３１】
本発明によれば、ロック部材（１６０）の後端付近をロック穴（１９０）に嵌合させた状態で、ロック部材（１６０）の後端が背面板（２４）の背面よりも後方に突出しないので、スロットマシンの背面側においてロック部材（１６０）が邪魔にならず、また、輸送中等にロック部材（１６０）が後方から押されてロックが解除されリールユニット（３０）が背面板（２４）から外れてしまうこともないのである。
【００３２】
（請求項７）
更に、請求項７記載の発明は、請求項１ないし６記載のスロットマシンを限定したものであって、前記ロック部材（１６０）は、その前端付近に、ロック部材（１６０）がフレーム（４０）に対して前後方向へ移動するのを規制するためのストッパー（１７０）を備えるとともに、このストッパー（１７０）は、ロック部材（１６０）の後端付近がロック穴（１９０）に嵌合した状態で、ロック部材（１６０）がフレーム（４０）に対して前後方向へ移動するのを規制するように形成されていることを特徴とする。
【００３３】
ここで、「ストッパー（１７０）」とは、ロック部材（１６０）がフレーム（４０）に対して前後方向へ移動するのを規制するためのものであって、ロック部材（１６０）の前端付近に設けられている。
そして、このストッパー（１７０）は、ロック部材（１６０）の後端付近がロック穴（１９０）に嵌合した状態で、ロック部材（１６０）がフレーム（４０）に対して前後方向へ移動するのを規制するように形成されている。
【００３４】
本発明によれば、必要なとき以外には、ロック部材（１６０）の後端付近がロック穴（１９０）から抜けないので、リールユニット（３０）が筐体（２０）に確実に固定されるのである。
【００３５】
【発明の実施の形態】
（図面の説明）
図１ないし図２１は、本発明の実施の形態を示すものである。
図１は、筐体２０及びリールユニット３０の斜視図、図２は、リールユニット３０の背面図、図３は、背面板２４の正面図、図４は、筐体２０及びリールユニット３０の側断面図（非係止状態）、図５は、筐体２０及びリールユニット３０の側断面図（係止状態）、図６は、下向きフック１１０の斜視図、図７は、下向きフック１１０の側断面図、図８は、被係止穴１４０の正面図、図９は、被係止穴１４０の背面図、図１０は、被係止穴１４０の側断面図、図１１は、下向きフック１１０及び被係止穴１４０の側断面図（非係止状態）、図１２は、下向きフック１１０及び被係止穴１４０の側断面図（係止状態）、図１３は、折り曲げ部１２０の側断面図、図１４は、フック金具１５０の側断面図、図１５は、折り曲げ部１２０及びフック金具１５０の側断面図（非係止状態）、図１６は、折り曲げ部１２０及びフック金具１５０の側断面図（係止状態）、図１７は、下面板４１及びロック部材１６０の平面図、図１８は、下面板４１及びロック部材１６０の正面図、図１９は、下面板４１及びロック部材１６０の側断面図、図２０は、下面板４１、ロック部材１６０及び背面板２４の要部側断面図（非ロック状態）、図２１は、下面板４１、ロック部材１６０及び背面板２４の要部側断面図（ロック状態）である。
【００３６】
（スロットマシン）
スロットマシンは、前面に開口部を有する箱型の筐体２０を備え、また、筐体２０の前面には、開口部を塞ぐ前扉を備え、また、筐体２０の内部には、３個の回転リール５０を有するリールユニット３０を備え、また、前扉には、３個の回転リール５０を見るための図柄表示窓や、回転リール５０の回転を開始させるためのスタートスイッチや、回転リール５０の回転を停止させるためのストップスイッチなどを備えている。
【００３７】
そして、スタートスイッチを操作すると、３個すべての回転リール５０の回転が開始し、ストップスイッチを操作すると、当該ストップスイッチに対応した回転リール５０の回転が停止し、３個すべての回転リール５０の回転が停止したときに、所定の図柄が有効な入賞ライン上に揃うと、入賞となり、入賞態様に応じた所定の利益が遊技者に付与されるようになっている。
【００３８】
（筐体２０）
筐体２０は、図１に示すように、四角箱型に形成されており、前面には開口部を有し、下面には底板２１を備え、上面には天板２２を備え、左右両側にはそれぞれ側面板２３を備え、背面には背面板２４を備えている。
また、背面板２４の所定位置には、被係止部としての被係止穴１４０と、被係止部としてのフック金具１５０と、ロック部材１６０の後端付近が嵌合するロック穴１９０とが設けられている。
【００３９】
具体的には、図３に示すように、筐体２０の内側から見て、背面板２４の上部には、被係止部としての２つの被係止穴１４０が所定間隔をあけて横並びに設けられ、また、背面板２４の上下のほぼ中間位置には、被係止部としての横長のフック金具１５０が設けられ、また、背面板２４のほぼ中央であってフック金具１５０よりも上側には、ロック穴１９０が設けられている。
【００４０】
（リールユニット３０）
リールユニット３０は、図１に示すように、フレーム４０と、このフレーム４０に固定される３枚の支持板と、各支持板にそれぞれ固定されるモータ（ステッピングモータ）と、各モータ（ステッピングモータ）の回転軸にそれぞれ固定される回転リール５０とを備えている。
【００４１】
また、フレーム４０は、図２に示すように、四角枠型に形成されており、前面及び背面には開口部を有し、下面には下面板４１を備え、上面には上面板４２を備え、左右両側にはそれぞれ横面板４３を備えている。
また、フレーム４０の下面板４１と上面板４２との間には、３枚の支持板が所定間隔をあけて横面板４３と平行に固定されている。
【００４２】
また、各支持板のほぼ中央には、それぞれ、モータ（ステッピングモータ）が固定され、また、各モータ（ステッピングモータ）の回転軸には、それぞれ、回転リール５０が固定されている。
また、フレーム４０の背面の所定位置には、係止部としての下向きフック１１０と、係止部としての折り曲げ部１２０とが設けられている。
【００４３】
具体的には、図２に示すように、フレーム４０の上面板４２の後端には、係止部としての２つの下向きフック１１０が所定間隔をあけて横並びに設けられ、また、フレーム４０の下面板４１の後端には、係止部としての折り曲げ部１２０が設けられている。
そして、係止部としての各下向きフック１１０を被係止部としての各被係止穴１４０にそれぞれ係止させ、かつ、係止部としての折り曲げ部１２０を被係止部としてのフック金具１５０に係止させると、リールユニット３０が背面板２４に係止されるようになっている。
【００４４】
また、フレーム４０の所定位置には、背面板２４に係止されたリールユニット３０が背面板２４に対して上方へ移動するのを阻止するためのロック部材１６０が取り付けられている。
具体的には、図４に示すように、フレーム４０の下面板４１の下側には、前後方向に長い板状のロック部材１６０が取り付けられている。また、ロック部材１６０は、フレーム４０に対して前後方向に移動可能に形成されている。
【００４５】
そして、図５に示すように、リールユニット３０を背面板２４に係止させた状態で、ロック部材１６０をフレーム４０に対して後方へ移動させると、ロック部材１６０の後端付近がロック穴１９０に嵌合して、リールユニット３０の上方への移動が阻止されるようになっている。
（下向きフック１１０）
下向きフック１１０は、リールユニット３０を背面板２４に係止させるためのものであって、係止部として機能するものである。
【００４６】
また、下向きフック１１０は、図２に示すように、フレーム４０の上面板４２の後端に、所定間隔をあけて横並びに２つ設けられている。
また、下向きフック１１０は、図６及び図７に示すように、上面板４２の後端から上方へ向けて突出する上方突出部１１１と、この上方突出部１１１の上端から後方へ向けて突出する後方突出部１１２と、この後方突出部１１２の後端から下方へ向けて突出する下方突出部１１３と、この下方突出部１１３の下端から下斜め後方へ向けて反るようにして突出する下後方反り部１１４とを有している。
【００４７】
また、下向きフック１１０は、金属板にプレス加工を施すことによって、フレーム４０の上面板４２と一体的に形成されている。
（折り曲げ部１２０）
折り曲げ部１２０は、リールユニット３０を背面板２４に係止させるためのものであって、係止部として機能するものである。
【００４８】
また、折り曲げ部１２０は、図２に示すように、フレーム４０の下面板４１の後端に設けられている。
また、折り曲げ部１２０は、図１３に示すように、下面板４１の後端から下方へ向けて突出する下方折り部１２１と、下方折り部１２１の下端から前方へ向けて突出する前方折り部１２２とを有している。
【００４９】
また、折り曲げ部１２０は、金属板にプレス加工を施すことによって、フレーム４０の下面板４１と一体的に形成されている。
（被係止穴１４０）
被係止穴１４０は、係止部としての下向きフック１１０が係止されるものであって、被係止部として機能するものである。
【００５０】
また、被係止穴１４０は、図３に示すように、背面板２４の上部の所定位置に、所定間隔をあけて横並びに２つ設けられている。
また、被係止穴１４０は、図８ないし図１０に示すように、背面板２４を貫通する横長の貫通穴１４１と、背面板２４の背面側に設けた横長の背面穴１４２とから構成されている。また、背面穴１４２は、貫通穴１４１の下側に設けられており、かつ、貫通穴１４１と連通している。
【００５１】
また、被係止穴１４０は、背面板２４の所定位置をドリル等で切削することによって形成されている。
（フック金具１５０）
フック金具１５０は、係止部としての折り曲げ部１２０が係止されるものであって、被係止部として機能するものである。
【００５２】
また、フック金具１５０は、図３に示すように、背面板２４の上下のほぼ中間位置に固定されている。
また、フック金具１５０は、図３に示すように、横方向に長い板状の基部１５１と、この基部１５１の左右両端に設けた上向きフック１５２とを有している。
また、上向きフック１５２は、図１４に示すように、基部１５１の上端から前方へ向けて突出する前方突出部１５３と、この前方突出部１５３の前端から上方へ向けて突出する上方突出部１５４と、この上方突出部１５４の上端から上斜め前方へ向けて反るようにして突出する上前方反り部１５５とを有している。
【００５３】
また、フック金具１５０は、金属板にプレス加工を施すことによって一体的に形成されている。
また、フック金具１５０の背面板２４への固定は、図示しないが、基部１５１を背面板２４にビス止めすることによって行われている。
（ロック部材１６０）
ロック部材１６０は、背面板２４に係止されたリールユニット３０が背面板２４に対して上方へ移動するのを阻止するためのものである。
【００５４】
また、ロック部材１６０は、図１７に示すように、前後方向に長い板状に形成され、また、ロック部材１６０の前端付近には、ロック部材１６０の前後方向の移動を規制するためのストッパー１８０が設けられ、また、ロック部材１６０の後端には、外寸をやや窄めたような窄め部１６１が設けられている。
また、ロック部材１６０は、フレーム４０の下面板４１の下側に取り付けられており、かつ、フレーム４０に対して前後方向に移動可能に形成されている。
【００５５】
具体的には、図１９に示すように、フレーム４０の下面板４１の下側には、ロック部材１６０をフレーム４０に取り付けるための、前取付部１７１と、中取付部１７２と、後取付部１７３とが設けられている。
また、前取付部１７１は、図２０及び図２１に示すように、下面板４１の前端に、下方へ向けて突出する前折り曲げ部１７４を設けるとともに、この前折り曲げ部１７４に、ロック部材１６０の外寸よりも内寸がわずかに大きい前取付穴１７５を設けることによって形成されている。
【００５６】
また、中取付部１７２は、図２０及び図２１に示すように、下面板４１の後端付近に、下方へ向けて突出する中折り曲げ部１７６を設けるとともに、この中折り曲げ部１７６に、ロック部材１６０の外寸よりも内寸がわずかに大きい中取付穴１７７を設けることによって形成されている。
また、後取付部１７３は、図２０及び図２１に示すように、下面板４１の後端に、下方へ向けて突出する後折り曲げ部１７８を設けるとともに、この後折り曲げ部１７８に、ロック部材１６０の外寸よりも内寸がわずかに大きい後取付穴１７９を設けることによって形成されている。なお、後取付部１７３を構成する後折り曲げ部１７８と、折り曲げ部１２０を構成する下方折り部１２１とは一体となっている。
【００５７】
また、前取付穴１７５と、中取付穴１７７と、後取付穴１７９とは、一直線上に並んでいる。
そして、ロック部材１６０は、前取付穴１７５と、中取付穴１７７と、後取付穴１７９とに差し込まれるようにして、下面板４１の下側に取り付けられている。このため、ロック部材１６０は、フレーム４０に対して前後方向に移動可能となっているのである。
【００５８】
また、前取付部１７１と、中取付部１７２と、後取付部１７３とは、金属板にプレス加工を施すことによって、フレーム４０の下面板４１と一体的に形成されている。
（ストッパー１８０）
ストッパー１８０は、ロック部材１６０がフレーム４０に対して前後方向へ移動するのを規制するためのものであって、図１９ないし図２１に示すように、ロック部材１６０の前端付近に設けられている。
【００５９】
また、ストッパー１８０は、図２０及び図２１に示すように、ロック部材１６０の前端付近に連設されるバネ部１８１と、このバネ部１８１に連設される手前側突起１８２と、この手前側突起１８２から後方へ向けて延びる延設部１８３と、この延設部１８３の後端に設けられる奥側突起１８４とを有している。
また、図１９ないし図２１に示すように、下面板４１の前端付近には、下面板４１を貫通する留め穴１８５が設けられている。
【００６０】
また、図２１に示すように、ロック部材１６０の後端付近がロック穴１９０に嵌合した状態では、バネ部１８１の力により、手前側突起１８２が下面板４１の手前側で下面板４１よりも上方に突出し、かつ、延設部１８３が下面板４１の下面に沿うようにして接し、かつ、奥側突起１８４が留め穴１８５から下面板４１の上方に突出する。そして、手前側突起１８２が下面板４１の前端に接するとともに、奥側突起１８４が留め穴１８５の手前側に接することにより、ロック部材１６０が前方にも後方にも移動しなくなるのである。
【００６１】
また、ストッパー１８０は、樹脂の射出成型によって、ロック部材１６０と一体的に形成されている。
（引き出しエンドストッパー１８６）
引き出しエンドストッパー１８６は、ロック部材１６０を手前側に引き抜くようにして移動させた際に、ロック部材１６０が前取付穴１７５から抜けないようにするためのものであって、図１７に示すように、ロック部材１６０の両側に突出させるようにして設けられている。すなわち、ロック部材１６０を手前側に引き抜くようにして移動させると、引き出しエンドストッパー１８６が前取付穴１７５の周囲に接して、ロック部材１６０が前取付穴１７５から抜けなくなるのである。
【００６２】
（ロック穴１９０）
ロック穴１９０は、図３に示すように、背面板２４のほぼ中央であって、フック金具１５０よりも上側に設けられている。この位置は、リールユニット３０を背面板２４に係止させたときに、前取付穴１７５、中取付穴１７７、及び後取付穴１７９と一直線上に並ぶ位置である。
【００６３】
また、ロック穴１９０の内寸は、ロック部材１６０の後端付近の外寸とほぼ等しく形成されている。このため、ロック部材１６０の後端付近をロック穴１９０に押し込むと、ロック部材１６０の後端付近とロック穴１９０とが嵌合するのである。
（リールユニット３０の筐体２０への固定）
まず、図１に示すように、開口部から筐体２０の内部にリールユニット３０を挿入して、リールユニット３０の背面を背面板２４の所定位置に押し当てる。具体的には、図１１に示すように、下向きフック１１０が被係止穴１４０の貫通穴１４１内に位置し、かつ、図１５に示すように、折り曲げ部１２０がフック金具１５０の上向きフック１５２のすぐ上に位置するように、リールユニット３０の背面を背面板２４に押し当てる。そして、この状態でリールユニット３０を背面板２４に対して下方へ移動させる。そうすると、図１２に示すように、各下向きフック１１０が各被係止穴１４０に係止され、かつ、図１６に示すように、折り曲げ部１２０がフック金具１５０の上向きフック１５２に係止される。これにより、リールユニット３０が背面板２４に係止される。
【００６４】
次に、ロック部材１６０をフレーム４０に対して後方へ押し込むようにして移動させる。そうすると、図２１に示すように、ロック部材１６０の後端付近がロック穴１９０に嵌合して、リールユニット３０の上方への移動が阻止されることとなる。これにより、リールユニット３０が筐体２０に固定される。また、この状態では、ストッパー１８０の手前側突起１８２が下面板４１の前端に接し、かつ、奥側突起１８４が留め穴１８５の手前側に接することから、ロック部材１６０が前方にも後方にも移動しなくなる。
【００６５】
（リールユニット３０の筐体２０からの取り外し）
まず、バネ部１８１の力に抗して、ストッパー１８０の手前側突起１８２を下方へ押し込む。そうすると、ストッパー１８０の奥側突起１８４が留め穴１８５から外れる。そして、この状態でロック部材１６０を手前側に引き抜くようにして移動させると、ロック部材１６０の後端付近がロック穴１９０から抜ける。
【００６６】
次に、リールユニット３０を背面板２４に対して上方へ移動させる。そうすると、各下向きフック１１０の各被係止穴１４０への係止が解かれ、かつ、折り曲げ部１２０のフック金具１５０への係止が解かれる。これにより、リールユニット３０を筐体２０から取り外すことができる。
このように、本実施の形態に係るスロットマシンは、フレーム４０の背面に、係止部としての下向きフック１１０と折り曲げ部１２０とを設けるとともに、背面板２４の所定位置には、被係止部としての被係止穴１４０とフック金具１５０とを設けている。そして、リールユニット３０の背面を背面板２４の所定位置に押し当てた状態で、リールユニット３０を下方へ移動させると、係止部としての各下向きフック１１０が被係止部としての各被係止穴１４０に係止されるとともに、係止部としての折り曲げ部１２０が被係止部としてのフック金具１５０に係止されて、リールユニット３０が背面板２４に係止される。また、フレーム４０の下面板４１の下側には、フレーム４０に対して前後方向に移動可能なロック部材１６０が取り付けられている。そして、リールユニット３０を背面板２４に係止させた状態で、ロック部材１６０を後方へ移動させると、ロック部材１６０の後端付近が背面板２４の所定位置に設けたロック穴１９０に嵌合して、リールユニット３０の上方への移動が阻止される。このようにして、リールユニット３０が筐体２０に固定される。また、ロック部材１６０を手前側へ移動させて、ロック部材１６０の後端付近をロック穴１９０から引き抜いてから、リールユニット３０を背面板２４に対して上方へ移動させると、係止部の被係止部への係止が解かれて、リールユニット３０を筐体２０から取り外せるようになる。このため、リールユニット３０の筐体２０への着脱作業が容易なのである。
【００６７】
また、本実施の形態に係るスロットマシンは、リールユニット３０が背面板２４に対して前後方向に移動不能となるように、係止部と被係止部とが形成されている。具体的には、下向きフック１１０の上方突出部１１１と下方突出部１１３との間隔（図１１中のＡ）、及び背面穴１４２を設けた部分の背面板２４の肉厚（図１１中のＢ）について、Ａの方がＢよりもわずかに大きいものの、ＡとＢとはほぼ等しく形成されている。また、折り曲げ部１２０の前方折り部１２２の幅（図１５中のＥ）、及びフック金具１５０の上方突出部１５４と背面板２４との間隔（図１５中のＦ）について、Ｆの方がＥよりもわずかに大きいものの、ＥとＦとはほぼ等しく形成されている。このため、係止部としての下向きフック１１０を被係止部としての被係止穴１４０に係止させ、かつ、係止部としての折り曲げ部１２０を被係止部としてのフック金具１５０に係止させた際には、リールユニット３０が背面板２４に対して前後方向に移動不能となり、これにより、モータ（ステッピングモータ）の駆動や回転リール５０の回転等によるリールユニット３０の前後方向のガタツキを防止できるとともに、回転リール５０を図柄表示窓に対して正しい位置に位置決めできるのである。
【００６８】
また、本実施の形態に係るスロットマシンは、リールユニット３０が背面板２４に対して横方向に移動不能となるように、係止部と被係止部とが形成されている。具体的には、下向きフック１１０の後方突出部１１２の最大横幅（図６中のＣ）、及び被係止穴１４０の横方向の内径（図８中のＤ）について、Ｄの方がＣよりもわずかに大きいものの、ＣとＤとはほぼ等しく形成されている。このため、係止部としての下向きフック１１０を被係止部としての被係止穴１４０に係止させた際には、リールユニット３０が背面板２４に対して横方向に移動不能となり、これにより、モータ（ステッピングモータ）の駆動や回転リール５０の回転等によるリールユニット３０の横方向のガタツキを防止できるのである。
【００６９】
また、本実施の形態に係るスロットマシンは、リールユニット３０が背面板２４に対して横方向に移動不能となるように、ロック部材１６０の後端付近とロック穴１９０とが形成されている。具体的には、ロック部材１６０の後端付近の横幅（図１７中のＧ）、及びロック穴１９０の横方向の内径（図３中のＨ）について、ＧとＨとがほぼ等しく形成されている。このため、ロック部材１６０の後端付近をロック穴１９０に嵌合させた際には、リールユニット３０が背面板２４に対して横方向に移動不能となり、これにより、モータ（ステッピングモータ）の駆動や回転リール５０の回転等によるリールユニット３０の横方向のガタツキを防止できるのである。
【００７０】
また、本実施の形態に係るスロットマシンは、ロック部材１６０の後端付近をロック穴１９０に嵌合させた状態で、ロック部材１６０の前端がフレーム４０の前面よりも前方に位置するように形成されている。具体的には、ロック部材１６０の前端は、図４又は図２０に示すように、ロック部材１６０を手前側へ移動させた状態でも、また、図５又は図２１に示すように、ロック部材１６０の後端付近をロック穴１９０に嵌合させた状態でも、フレーム４０の前面よりも前方に位置するように形成されている。このため、ロック部材１６０を前後方向に移動させる操作を、リールユニット３０の手前側で行えるので、リールユニット３０の筐体２０への着脱作業をより一層容易に行えるのである。
【００７１】
また、本実施の形態に係るスロットマシンは、ロック部材１６０の後端付近をロック穴１９０に嵌合させた状態で、ロック部材１６０の後端が背面板２４の背面よりも後方に突出しないように形成されている。具体的には、図５又は図２１に示すように、ロック部材１６０の後端付近をロック穴１９０に嵌合させた状態でも、ロック部材１６０の後端付近は、背面板２４の背面よりも後方に突出しない。このため、スロットマシンの背面側においてロック部材１６０が邪魔にならず、また、輸送中等にロック部材１６０が後方から押されてロックが解除されリールユニット３０が背面板２４から外れてしまうこともないのである。
【００７２】
また、本実施の形態に係るスロットマシンは、下向きフック１１０を被係止穴１４０に係止させた状態で、下向きフック１１０が背面板２４の背面よりも後方に突出しないように形成されている。具体的には、図５又は図１２に示すように、下向きフック１１０を被係止穴１４０に係止させた状態では、下向きフック１１０の下方突出部１１３と下後方反り部１１４とが被係止穴１４０の背面穴１４２に収まるので、下向きフック１１０が背面板２４の背面よりも後方に突出しない。このため、スロットマシンの背面側において、下向きフック１１０が邪魔にならないのである。
【００７３】
また、本実施の形態に係るスロットマシンは、ロック部材１６０の前端付近に、ロック部材１６０の前後方向への移動を規制するためのストッパー１８０を設けており、必要なとき以外には、ロック部材１６０の後端付近がロック穴１９０から抜けないようにしている。このため、リールユニット３０が筐体２０に確実に固定されるのである。
【００７４】
【発明の効果】
（請求項１）
請求項１記載の発明によれば、フレームの背面に係止部を設け、背面板の所定位置には被係止部を設け、リールユニットの背面を背面板に押し当てた状態で、リールユニットを下方へ移動させると、係止部が被係止部に係止されて、リールユニットが背面板に係止されるようにするとともに、フレームの所定位置に前後移動可能なロック部材を取り付け、リールユニットを背面板に係止させた状態で、ロック部材を後方へ移動させると、ロック部材の後端付近が背面板の所定位置に設けたロック穴に嵌合して、リールユニットの上方への移動が阻止されるようにしたことから、リールユニットの筐体への着脱作業が容易なスロットマシンを提供できるのである。更に、棚板を使用しないので、筐体を軽くできるとともに、筐体内部における作業空間を広くできるのである。
【００７５】
（請求項２）
また、請求項２記載の発明によれば、請求項１記載の発明の効果に加え、リールユニットが背面板に対して前後方向に移動不能となるように、係止部と被係止部とを形成したことから、モータの駆動や回転リールの回転等によるリールユニットの前後方向のガタツキを防止できるとともに、回転リールを図柄表示窓に対して正しい位置に位置決めできるスロットマシンを提供できるのである。
【００７６】
（請求項３）
また、請求項３記載の発明によれば、請求項１又は２記載の発明の効果に加え、リールユニットが背面板に対して横方向に移動不能となるように、係止部と被係止部とを形成したことから、モータの駆動や回転リールの回転等によるリールユニットの横方向のガタツキが生じないスロットマシンを提供できるのである。
【００７７】
（請求項４）
また、請求項４記載の発明によれば、請求項１ないし３記載の発明の効果に加え、リールユニットが背面板に対して横方向に移動不能となるように、ロック部材の後端付近とロック穴とを形成したことから、モータの駆動や回転リールの回転等によるリールユニットの横方向のガタツキが生じないスロットマシンを提供できるのである。
【００７８】
（請求項５）
また、請求項５記載の発明によれば、請求項１ないし４記載の発明の効果に加え、ロック部材の後端付近をロック穴に嵌合させた状態で、ロック部材の前端がフレームの前面よりも前方に位置するように形成したことから、ロック部材をリールユニットの手前側で操作できるので、リールユニットの筐体への着脱作業がより一層容易なスロットマシンを提供できるのである。
【００７９】
（請求項６）
また、請求項６記載の発明によれば、請求項１ないし５記載の発明の効果に加え、ロック部材の後端付近をロック穴に嵌合させた状態で、ロック部材の後端が背面板の背面よりも後方に突出しないように形成したことから、ロック部材が邪魔にならず、また、輸送中等にロック部材が後方から押されてロックが解除されリールユニットが背面板から外れてしまうこともないスロットマシンを提供できるのである。
【００８０】
（請求項７）
更に、請求項７記載の発明によれば、請求項１ないし６記載の発明の効果に加え、ロック部材の前端付近に、ロック部材の前後方向への移動を規制するためのストッパーを設けたことから、必要なとき以外には、ロック部材の後端付近がロック穴から抜けないので、リールユニットが筐体に確実に固定されるスロットマシンを提供できるのである。
【図面の簡単な説明】
【図１】本発明の実施の形態に係るスロットマシンの筐体及びリールユニットの斜視図。
【図２】本発明の実施の形態に係るスロットマシンのリールユニットの背面図。
【図３】本発明の実施の形態に係るスロットマシンの筐体の背面板の正面図。
【図４】本発明の実施の形態に係るスロットマシンの筐体及びリールユニットの側断面図（非係止状態）。
【図５】本発明の実施の形態に係るスロットマシンの筐体及びリールユニットの側断面図（係止状態）。
【図６】本発明の実施の形態に係るスロットマシンの下向きフックの斜視図。
【図７】本発明の実施の形態に係るスロットマシンの下向きフックの側断面図。
【図８】本発明の実施の形態に係るスロットマシンの被係止穴の正面図。
【図９】本発明の実施の形態に係るスロットマシンの被係止穴の背面図。
【図１０】本発明の実施の形態に係るスロットマシンの被係止穴の側断面図。
【図１１】本発明の実施の形態に係るスロットマシンの下向きフック及び被係止穴の側断面図（非係止状態）。
【図１２】本発明の実施の形態に係るスロットマシンの下向きフック及び被係止穴の側断面図（係止状態）。
【図１３】本発明の実施の形態に係るスロットマシンの折り曲げ部の側断面図。
【図１４】本発明の実施の形態に係るスロットマシンのフック金具の側断面図。
【図１５】本発明の実施の形態に係るスロットマシンの折り曲げ部及びフック金具の側断面図（非係止状態）。
【図１６】本発明の実施の形態に係るスロットマシンの折り曲げ部及びフック金具の側断面図（係止状態）。
【図１７】本発明の実施の形態に係るスロットマシンの下面板及びロック部材の平面図。
【図１８】本発明の実施の形態に係るスロットマシンの下面板及びロック部材の正面図。
【図１９】本発明の実施の形態に係るスロットマシンの下面板及びロック部材の側断面図。
【図２０】本発明の実施の形態に係るスロットマシンの下面板、ロック部材及び背面板の要部側断面図（非ロック状態）。
【図２１】本発明の実施の形態に係るスロットマシンの下面板、ロック部材及び背面板の要部側断面図（ロック状態）。
【符号の説明】
２０    筐体                        ２１    底板
２２    天板                        ２３    側面板
２４    背面板                      ３０    リールユニット
４０    フレーム                    ４１    下面板
４２    上面板                      ４３    横面板
５０    回転リール                １１０    下向きフック
１１１    上方突出部                １１２    後方突出部
１１３    下方突出部                １１４    下後方反り部
１２０    折り曲げ部                １２１    下方折り部
１２２    前方折り部                １４０    被係止穴
１４１    貫通穴                    １４２    背面穴
１５０    フック金具                １５１    基部
１５２    上向きフック              １５３    前方突出部
１５４    上方突出部                １５５    上前方反り部
１６０    ロック部材                １６１    窄め部
１７１    前取付部                  １７２    中取付部
１７３    後取付部                  １７４    前折り曲げ部
１７５    前取付穴                  １７６    中折り曲げ部
１７７    中取付穴                  １７８    後折り曲げ部
１７９    後取付穴                  １８０    ストッパー
１８１    バネ部                    １８２    手前側突起
１８３    延設部                    １８４    奥側突起
１８５    留め穴                    １８６    引き出しエンドストッパー
１９０    ロック穴
【図１】
2004166777.tif 000003
【図２】
2004166777.tif 000004
【図３】
2004166777.tif 000005
【図４】
2004166777.tif 000006
【図５】
2004166777.tif 000007
【図６】
2004166777.tif 000008
【図７】
2004166777.tif 000009
【図８】
2004166777.tif 000010
【図９】
2004166777.tif 000011
【図１０】
2004166777.tif 000012
【図１１】
2004166777.tif 000013
【図１２】
2004166777.tif 000014
【図１３】
2004166777.tif 000015
【図１４】
2004166777.tif 000016
【図１５】
2004166777.tif 000017
【図１６】
2004166777.tif 000018
【図１７】
2004166777.tif 000019
【図１８】
2004166777.tif 000020
【図１９】
2004166777.tif 000021
【図２０】
2004166777.tif 000022
【図２１】
2004166777.tif 000023